(57)【要約】【課題】信号の損失を低減しつつ、任意の指向性を設定可能なアンテナ装置を提供する。【解決手段】第１のスイッチの各々は、第１の接点と複数の第２の接点を有しており、第１の接点に複数のアンテナのいずれかに接続されている。第２のスイッチは、第３の接点と複数の第４の接点を有しており、通信回路に第３の接点が接続されている。複数の信号線路が、複数の第１のスイッチと、第２のスイッチの複数の第４の接点を接続する。第２のスイッチに接続されていない第２の接点は、インピーダンス装置を介して、グランドに接続されている。制御手段は、使用されるアンテナに接続された第１のスイッチの第１の接点と、当該第１のスイッチのうち第２のスイッチに接続された第２の接点を接続し、第２のスイッチの第３の接点と、第２のスイッチのうち使用されるアンテナに接続された第１のスイッチに接続された第４の接点を接続する。【選択図】図１
2019205028.tif 000002
【特許請求の範囲】
【請求項１】
複数のアンテナと、
各々が第１の接点と複数の第２の接点を有しており、前記第１の接点が前記複数のアンテナのいずれかに接続された複数の第１のスイッチと、
前記複数のアンテナのいずれかを使用して高周波信号を送信または受信する通信回路と、
第３の接点と複数の第４の接点を有しており、前記通信回路に前記第３の接点が接続された第２のスイッチと、
各信号線路がいずれかの前記第１のスイッチの前記第２の接点のいずれかと、前記第２のスイッチの前記複数の第４の接点のいずれかを接続する、複数の信号線路と、
前記複数の第２の接点のうち前記第２のスイッチに接続されていない第２の接点に接続された一端と、グランドに接続された他端とを有する少なくとも１つのインピーダンス装置と、
前記複数のアンテナのうち高周波信号の送信または受信に使用されるアンテナに接続された第１のスイッチの前記第１の接点と、当該第１のスイッチの前記複数の第２の接点のうち前記第２のスイッチに接続された第２の接点とを接続し、前記第２のスイッチの前記第３の接点と、当該第２のスイッチの前記複数の第４の接点のうち前記使用されるアンテナに接続された第１のスイッチに接続された第４の接点とを接続する制御手段と、
を有することを特徴とするアンテナ装置。
【請求項２】
前記制御手段は、高周波信号の送信または受信に使用されないアンテナに接続された第１のスイッチの前記第１の接点と、当該第１のスイッチの前記複数の第２の接点のうち前記インピーダンス装置に接続された第２の接点とを接続する、
ことを特徴とする請求項１に記載のアンテナ装置。
【請求項３】
前記制御手段は、前記使用されるアンテナを前記複数のアンテナから時分割で順次選択する、
ことを特徴とする請求項１または２に記載のアンテナ装置。
【請求項４】
前記インピーダンス装置は、一つのインピーダンス素子から構成されることを特徴とする請求項１から３のいずれか１項に記載のアンテナ装置。
【請求項５】
前記インピーダンス装置は、異なるインピーダンス値を有する複数のインピーダンス素子と、第３のスイッチとを有し、
前記第３のスイッチは、第５の接点と複数の第６の接点を有しており、前記第５の接点は、前記複数の第２の接点のうち前記第２のスイッチに接続されていない第２の接点に接続され、前記複数の第６の接点は、それぞれ前記複数のインピーダンス素子に接続され、
前記複数のインピーダンス素子は、それぞれグランドに接続されている、
ことを特徴とする請求項１から３のいずれか１項に記載のアンテナ装置。
【請求項６】
少なくとも３つのアンテナを備え、
各第１のスイッチは、少なくとも３つの第２の接点を有し、
前記第２のスイッチは、少なくとも３つの第４の接点を有し、
各第１のスイッチにおいて、前記第２のスイッチにも前記インピーダンス装置にも接続されていない第２の接点が、他の第１のスイッチにおいて、前記第２のスイッチにも前記インピーダンス装置にも接続されていない第２の接点に接続されている、
ことを特徴とする請求項１から５のいずれか１項に記載のアンテナ装置。
【請求項７】
前記複数の第１のスイッチの各々は制御入力端を有し、前記第２のスイッチは制御入力端を有し、
前記制御手段は、前記複数の第１のスイッチの前記制御入力端と、前記第２のスイッチの前記制御入力端に制御信号を供給することにより、前記使用されるアンテナに接続された第１のスイッチの前記第１の接点と所望の第２の接点とを接続し、前記第２のスイッチの前記第３の接点と所望の第４の接点とを接続する、
ことを特徴とする請求項１から６のいずれか１項に記載のアンテナ装置。
【請求項８】
前記複数の第１のスイッチの各々は複数の制御入力端を有し、前記第２のスイッチは複数の制御入力端を有し、
前記制御手段は、前記複数の第１のスイッチの前記複数の制御入力端に可変レベルの複数の制御信号を供給し、前記第２のスイッチの前記複数の制御入力端に可変レベルの複数の制御信号を供給し、
前記複数の第１のスイッチの各々は、当該第１のスイッチの前記複数の制御入力端に供給された複数の制御信号のレベルの組合せに応じて、当該第１のスイッチにおいて前記第１の接点に接続する第２の接点を選択し、
前記第２のスイッチは、前記第２のスイッチの前記複数の制御入力端に供給された複数の制御信号のレベルの組合せに応じて、前記第２のスイッチにおいて前記第１の接点に接続する第２の接点を選択する、
ことを特徴とする請求項１から７のいずれか１項に記載のアンテナ装置。
【請求項９】
前記複数の第１のスイッチの各々は制御入力端を有し、前記第２のスイッチは制御入力端を有し、前記第３のスイッチは、制御入力端を有し、
前記制御手段は、前記複数の第１のスイッチの前記制御入力端と、前記第２のスイッチの前記制御入力端と、前記第３のスイッチの前記制御入力端に制御信号を供給することにより、前記使用されるアンテナに接続された第１のスイッチの前記第１の接点と所望の第２の接点とを接続し、前記第２のスイッチの前記第３の接点と所望の第４の接点とを接続し、前記第３のスイッチの前記第５の接点と所望の第６の接点とを接続する、
ことを特徴とする請求項５に記載のアンテナ装置。
【請求項１０】
前記複数のアンテナは、基板に実装された平面アンテナであり、
隣接する前記アンテナの間隔は、前記アンテナで送信または受信される電波の波長の１／４より小さい、
ことを特徴とする請求項１から９のいずれか１項に記載のアンテナ装置。
【発明の詳細な説明】
【技術分野】
【０００１】
本発明は、アンテナ装置に関する。
【背景技術】
【０００２】
指向性の異なる複数のアンテナをそれぞれ異なる方向に指向性の最大方向が向くように配列したアンテナ装置において、通信方向に応じて使用するアンテナを切り替えることが行われている。これにより、単独のアンテナを使用するよりも、広い通信領域を確保することが可能となる。
このようなアンテナ装置において、複数のアンテナが近接する場合には、電磁的にアンテナの相互結合が発生してしまう。使用されないアンテナと使用されるアンテナの相互結合が発生すると、使用されるアンテナが単独で形成するはずの指向性とは異なる指向性を持つことになる。
特許文献１には、２つのアンテナにそれぞれ接続された２つのスイッチによって、使用されるアンテナを切り替える技術が開示されている。ここでは、使用されるアンテナは１つのスイッチにより無線機の回路に接続される。一方、使用されないアンテナは、アースされたインピーダンス素子に他のスイッチによって接続され、相互結合の影響を排除しようとする。
【先行技術文献】
【特許文献】
【０００３】
【特許文献１】特開平９―２２３９９３号公報
【発明の概要】
【発明が解決しようとする課題】
【０００４】
しかしながら、特許文献１に記載の技術では、無線機の回路から２つのスイッチに向けて線路が分岐する。この場合、使用されないアンテナとの接続が絶たれた線路（スタブ）の開放端において、信号が反射するため、特定周波数で信号が相殺されることにより信号の損失が生ずることがある。
【０００５】
そこで、本発明は、信号の損失を低減しつつ、任意の指向性を設定可能なアンテナ装置を提供することを目的とする。
【課題を解決するための手段】
【０００６】
上記課題を解決するために、本発明に係るアンテナ装置の一態様は、複数のアンテナと、各々が第１の接点と複数の第２の接点を有しており、前記第１の接点が前記複数のアンテナのいずれかに接続された複数の第１のスイッチと、前記複数のアンテナのいずれかを使用して高周波信号を送信または受信する通信回路と、第３の接点と複数の第４の接点を有しており、前記通信回路に前記第３の接点が接続された第２のスイッチと、各信号線路がいずれかの前記第１のスイッチの前記第２の接点のいずれかと、前記第２のスイッチの前記複数の第４の接点のいずれかを接続する、複数の信号線路と、前記複数の第２の接点のうち前記第２のスイッチに接続されていない第２の接点に接続された一端と、グランドに接続された他端とを有する少なくとも１つのインピーダンス装置と、前記複数のアンテナのうち高周波信号の送信または受信に使用されるアンテナに接続された第１のスイッチの前記第１の接点と、当該第１のスイッチの前記複数の第２の接点のうち前記第２のスイッチに接続された第２の接点とを接続し、前記第２のスイッチの前記第３の接点と、当該第２のスイッチの前記複数の第４の接点のうち前記使用されるアンテナに接続された第１のスイッチに接続された第４の接点とを接続する制御手段と、を有する。
【発明の効果】
【０００７】
本発明によれば、信号の損失を低減しつつ、任意の指向性を設定可能なアンテナ装置が提供される。
【図面の簡単な説明】
【０００８】
【図１】本発明の第１実施形態に係るアンテナ装置の概略図。
【図２】第１実施形態で使用される制御信号と、スイッチで選択される端子の関係を示す表。
【図３】図１とは別のアンテナが使用される場合の第１実施形態に係るアンテナ装置の概略図。
【図４】第１実施形態の変形例に係るアンテナ装置の概略図。
【図５】第１実施形態の他の変形例に係るアンテナ装置の概略図。
【図６】本発明の第２実施形態に係るアンテナ装置の概略図。
【図７】第２実施形態で使用される制御信号と、スイッチで選択される端子の関係を示す表。
【図８】本発明の第３実施形態に係るアンテナ装置の概略図。
【図９】第２実施形態または第３実施形態に係るアンテナ装置のアンテナの実装例を示す平面図。
【発明を実施するための形態】
【０００９】
以下、添付図面を参照して、本発明を実施するための形態について詳細に説明する。以下に説明する実施形態は、本発明の実現手段としての一例であり、本発明が適用される装置の構成や各種条件によって適宜修正又は変更されるべきものであり、本発明は以下の実施形態に限定されるものではない。
【００１０】
＜第１実施形態＞
本実施形態では、アンテナ装置は２つのアンテナを有する。但し、本実施形態の２つのアンテナは、配列された多数のアンテナの２つと考えてよく、図示された２つのアンテナ以外のアンテナに同様の改良を施してよい。アンテナ装置は、送信アンテナ装置として使用してもよいし、受信アンテナ装置として使用してもよい。
【００１１】
＜アンテナ装置の構成＞
図１は、第１実施形態に係るアンテナ装置の概略図である。アンテナ装置は、２つのアンテナ１，２と、アンテナ１，２にそれぞれ接続された２つのＲＦスイッチ３，４と、回路部５と、回路部５に接続されておりＲＦスイッチ３または４に選択的に接続されるＲＦスイッチ６とを有する。アンテナ１，２は、それぞれ異なる指向性を有する。アンテナ１，２は、電磁気的な結合によって相互のアンテナ特性に影響を与える距離に近接して配置されている。
【００１２】
ＲＦスイッチ３，４の各々は、第１の接点ａと、２つの第２の接点ｂ，ｃと、２つの制御入力端Ｃ１，Ｃ２を有する。アンテナ１は、ＲＦスイッチ３の第１の接点ａに接続され、アンテナ２は、ＲＦスイッチ４の第１の接点ａに接続されている。アンテナ装置が送信アンテナ装置として使用される場合、第１の接点ａはアンテナへのＲＦ信号の出力側の接点であり、第２の接点ｂ，ｃはＲＦ信号の入力側の接点である。アンテナ装置が受信アンテナ装置として使用される場合、第１の接点ａはアンテナからのＲＦ信号の入力側の接点であり、第２の接点ｂ，ｃはＲＦ信号の出力側の接点である。ＲＦスイッチ３，４の各々において、２つの第２の接点ｂ，ｃのどちらを第１の接点ａに電気的に接続するかを、外部から選択することが可能である。制御入力端Ｃ１，Ｃ２には、第２の接点ｂ，ｃのどちらを第１の接点ａに接続するのかを示す制御信号が入力される。
【００１３】
回路部５は、通信回路の機能と、ＲＦスイッチ３，４，６の切り替え制御の機能を有する。アンテナ装置が送信アンテナ装置として使用される場合、回路部５は送信用のＲＦ信号を生成して出力する。アンテナ装置が受信アンテナ装置として使用される場合、回路部５は、アンテナ１または２で受信されたＲＦ信号を受信して、処理する。
【００１４】
ＲＦスイッチ６は、第３の接点ａと、２つの第４の接点ｂ，ｃと、２つの制御入力端Ｃ１，Ｃ２を有する。回路部５は、ＲＦ線路７を介してＲＦスイッチ６の第３の接点ａに接続されている。アンテナ装置が送信アンテナ装置として使用される場合、第３の接点ａは回路部５からのＲＦ信号の入力側の接点であり、第４の接点ｂ，ｃはアンテナ側へのＲＦ信号の出力側の接点である。アンテナ装置が受信アンテナ装置として使用される場合、第３の接点ａは回路部５へのＲＦ信号の出力側の接点であり、第４の接点ｂ，ｃはアンテナ側からのＲＦ信号の入力側の接点である。ＲＦスイッチ６において、２つの第４の接点ｂ，ｃのどちらを第３の接点ａに電気的に接続するかを、外部から選択することが可能である。制御入力端Ｃ１，Ｃ２には、第４の接点ｂ，ｃのどちらを第３の接点ａに接続するのかを示す制御信号が入力される。
【００１５】
ＲＦスイッチ３の第２の接点ｃは、ＲＦ線路８を介して、ＲＦスイッチ６の第４の接点ｃに接続されている。ＲＦスイッチ４の第２の接点ｂは、ＲＦ線路９を介して、ＲＦスイッチ６の第４の接点ｂに接続されている。
ＲＦスイッチ３の第２の接点ｂと、ＲＦスイッチ４の第２の接点ｃは、ＲＦ線路１０を介して、インピーダンス素子（例えば、抵抗器）１１の一端に接続されており、インピーダンス素子１１の他端はグランドに接続されている。インピーダンス素子１１のインピーダンス値（例えば、抵抗値）は、０Ω以上、５０Ω以下であることが好ましい。ＲＦ線路７，８，９，１０の各々のインピーダンス値は、例えば５０Ωである。尚、インピーダンス素子１１はインピーダンス装置の一例である。
【００１６】
ＲＦスイッチ３，４，６の切り替え制御のため、回路部５には、制御用信号線１２，１３が接続されている。制御用信号線１２は、ＲＦスイッチ３，４，６の制御入力端Ｃ１に接続されており、制御用信号線１３は、ＲＦスイッチ３，４，６の制御入力端Ｃ２に接続されている。
【００１７】
＜使用アンテナの切り替え＞
回路部５は、ＲＦスイッチ３，４，６の各々の切り替え制御を行うことにより、アンテナ１または２を選択的に使用する。回路部５は、ＲＦスイッチ３，４，６の制御入力端Ｃ１，Ｃ２にそれぞれ供給される複数の制御信号を供給する。これにより、回路部５は、使用されるアンテナ１または２に接続されたＲＦスイッチ３または４の第１の接点ａと、当該ＲＦスイッチの２つの第２の接点ｂ，ｃのうちＲＦスイッチ６に接続された第２の接点ｂまたはｃとを接続する。同時に、回路部５は、ＲＦスイッチ６の第３の接点ａと、ＲＦスイッチ６の２つの第４の接点ｂ，ｃのうち使用されるアンテナ１または２に接続されたＲＦスイッチ３または４に接続された第４の接点ｂ，ｃとを接続する。同時に、回路部５は、使用されないアンテナに接続されたＲＦスイッチ３または４の第１の接点ａと、当該ＲＦスイッチの２つの第２の接点ｂ，ｃのうちインピーダンス素子１１に接続された第２の接点ｂまたはｃとを接続する。
【００１８】
図２を用いて、制御信号と、各ＲＦスイッチで選択される端子の関係を説明する。ここで、ＲＦ−ｃｔｌ１は、制御用信号線１２を介して、各ＲＦスイッチの制御入力端Ｃ１に供給される制御信号であり、ＲＦ−ｃｔｌ２は、制御用信号線１３を介して、各ＲＦスイッチの制御入力端Ｃ２に供給される制御信号である。制御信号ＲＦ−ｃｔｌ１，ＲＦ−ｃｔｌ２の各々の電圧レベルは可変である。
【００１９】
回路部５が、制御信号ＲＦ−ｃｔｌ１，ＲＦ−ｃｔｌ２の電圧を３．３Ｖ（Ｈｉｇｈ）または０Ｖ（Ｌｏｗ）に設定することにより、各ＲＦスイッチにおいて接点ｂ，ｃのいずれを接点ａに接続するかを切り替えることができる。別の観点からいえば、ＲＦスイッチの各々は、当該ＲＦスイッチの制御入力端Ｃ１，Ｃ２に供給された制御信号ＲＦ−ｃｔｌ１，ＲＦ−ｃｔｌ２の電圧レベルの組合せに応じて、当該ＲＦスイッチにおいて接点ａに接続する接点ｂまたはｃを選択する。このようにして、回路部５は、各ＲＦスイッチの制御入力端に制御信号を供給することにより、使用されるべきアンテナに接続されたＲＦスイッチ３または４の第１の接点ａと所望の第２の接点ｂまたはｃとを接続する。同時に、回路部５は、ＲＦスイッチ６の第３の接点ａと所望の第４の接点ｂまたはｃとを接続する。
【００２０】
具体的には、制御信号ＲＦ−ｃｔｌ１を３．３Ｖに設定し、制御信号ＲＦ−ｃｔｌ２を０Ｖに設定することで、ＲＦスイッチ３，４，６の各々では、接点ａに接続する接点として接点ｂが選択される。この場合には、図１に示すように、回路部５から、ＲＦ線路７、ＲＦスイッチ６の接点ａ，ｂ、ＲＦ線路９、ＲＦスイッチ４の接点ｂ，ａを経て、アンテナ２までのＲＦ信号経路が生成される。アンテナ装置が送信アンテナ装置として使用される場合、回路部５が供給したＲＦ信号はこのＲＦ信号経路を経てアンテナ２から電波として放射される。アンテナ装置が受信アンテナ装置として使用される場合、アンテナ２で受信されたＲＦ信号が回路部５に供給される。
このようにアンテナ２が使用される場合、使用されないアンテナ１は、ＲＦスイッチ３の接点ａ，ｂ、ＲＦ線路１０、インピーダンス素子１１を介して、グランドに接続される。したがって、アンテナ１は、低インピーダンスで終端される。アンテナ１，２は、電磁気的な結合によって相互のアンテナ特性に影響を与えるよう近接しているが、相互結合の影響は小さい。また、相互結合の影響を事前に把握することによって、アンテナ２の使用時の指向性はあらかじめ予測して設定しておくことができる。
【００２１】
逆に、制御信号ＲＦ−ｃｔｌ１を０Ｖに設定し、制御信号ＲＦ−ｃｔｌ２を３．３Ｖに設定することで、ＲＦスイッチ３，４，６の各々では、接点ａに接続する接点として接点ｃが選択される。この場合には、図３に示すように、回路部５から、ＲＦ線路７、ＲＦスイッチ６の接点ａ，ｃ、ＲＦ線路８、ＲＦスイッチ３の接点ｃ，ａを経て、アンテナ１までのＲＦ信号経路が生成される。アンテナ装置が送信アンテナ装置として使用される場合、回路部５が供給したＲＦ信号はこのＲＦ信号経路を経てアンテナ１から電波として放射される。アンテナ装置が受信アンテナ装置として使用される場合、アンテナ１で受信されたＲＦ信号が回路部５に供給される。
このようにアンテナ１が使用される場合、使用されないアンテナ２は、ＲＦスイッチ３の接点ａ，ｃ、ＲＦ線路１０、インピーダンス素子１１を介して、グランドに接続される。したがって、アンテナ２は、低インピーダンスで終端される。アンテナ１，２は、電磁気的な結合によって相互のアンテナ特性に影響を与える距離に近接しているが、相互結合の影響は小さい。また、相互結合の影響を事前に把握することによって、アンテナ１の使用時の指向性はあらかじめ予測して設定しておくことができる。
【００２２】
本実施形態によれば、アンテナ１，２側のＲＦスイッチ３，４と、回路部５との間にＲＦスイッチ６が介在することによって、ＲＦ線路にはスタブが存在しない。したがって、ＲＦ信号の相殺が発生しないので、ＲＦ信号の損失を低減することができる。また、使用しないアンテナを低インピーダンスで終端した状態にすることで、近接して配置されるアンテナ間の相互結合の影響を弱め、使用するアンテナの指向性を容易に設定することが可能である。
回路部５は、上記のようにＲＦスイッチ３，４，６を制御して、使用されるアンテナを切り替える。回路部５は、使用されるアンテナをアンテナ１，２から時分割で順次選択してもよい。
【００２３】
＜第１実施形態の変形例＞
第１実施形態においては、ＲＦスイッチ３の第２の接点ｂおよびＲＦスイッチ４の第２の接点ｃは、共通のインピーダンス素子１１を介してグランドに接続されている。しかし、図４に示すように、ＲＦスイッチ３，４の各々に個別のインピーダンス素子を接続してもよい。
【００２４】
図４の変形例においては、ＲＦスイッチ３の第２の接点ｂは、ＲＦ線路２１を介して、インピーダンス素子（例えば、抵抗器）２２の一端に接続されており、インピーダンス素子２２の他端はグランドに接続されている。ＲＦスイッチ４の第２の接点ｃは、ＲＦ線路２３を介して、インピーダンス素子（例えば、抵抗器）２４の一端に接続されており、インピーダンス素子２４の他端はグランドに接続されている。インピーダンス素子２２，２４の各々のインピーダンス値（例えば、抵抗値）は、０Ω以上、５０Ω以下であることが好ましい。ＲＦ線路２１，２３の各々のインピーダンス値は、例えば５０Ωである。
【００２５】
第１実施形態においては、ＲＦスイッチ３，４をグランドに接続するインピーダンス装置がインピーダンス素子１１から構成される。しかし、図５に示すように、ＲＦスイッチ３，４をグランドに接続するインピーダンス装置が、選択可能な複数のインピーダンス素子を有してもよい。図５の変形例においては、グランドに接続されるインピーダンス装置３０が、２つのインピーダンス素子３３，３４と、ＲＦスイッチ３２とを有する。ＲＦスイッチ３２は、第５の接点ａと、２つの第６の接点ｂ，ｃと、２つの制御入力端Ｃ１，Ｃ２を有する。第５の接点ａは、ＲＦスイッチ３，４の接点ｂ，ｃのうちＲＦスイッチ６に接続されていない接点に接続されている。具体的には、ＲＦスイッチ３２の接点ａは、ＲＦ線路１０を介して、ＲＦスイッチ３の接点ｂと、ＲＦスイッチ４の接点ｃに接続されている。２つの第６の接点ｂ，ｃは、それぞれ２つのインピーダンス素子３３，３４に接続されている。インピーダンス素子３３，３４のＲＦスイッチ３２と反対側の端部は、グランドに接続されている。
【００２６】
ＲＦスイッチ３２において、２つの第６の接点ｂ，ｃのどちらを第５の接点ａに電気的に接続するかを、外部から選択することが可能である。制御入力端Ｃ１，Ｃ２には、第６の接点ｂ，ｃのどちらを第５の接点ａに接続するのかを示す制御信号が入力される。ＲＦスイッチ３２の切り替え制御のため、回路部５には、制御用信号線３５，３６が接続されている。制御用信号線３５は、ＲＦスイッチ３２の制御入力端Ｃ１に接続されており、制御用信号線３６は、ＲＦスイッチ３２の制御入力端Ｃ２に接続されている。
【００２７】
インピーダンス素子３３，３４は、０Ω以上、５０Ω以下の範囲で、互いに異なるインピーダンス値（例えば、抵抗値）を有する。上記のように、ＲＦスイッチ３の接点ｂは、ＲＦスイッチ３に対応するアンテナ１が使用されない場合に、アンテナ１を低インピーダンスで終端させるために使用される。ＲＦスイッチ４の接点ｂは、ＲＦスイッチ４に対応するアンテナ２が使用されない場合に、アンテナ２を低インピーダンスで終端させるために使用される。図５の変形例においては、インピーダンス素子３３，３４を選択的に切り替えることにより、使用されないアンテナが終端するインピーダンスの値を選択することが可能である。
【００２８】
回路部５は、ＲＦスイッチ３２の制御入力端Ｃ１，Ｃ２に可変レベルの複数の制御信号を供給することにより、ＲＦスイッチ３２の第５の接点ａと所望の第６の接点ｂまたはｃとを接続する。ＲＦスイッチ３２において接点ｂ，ｃのいずれを接点ａに接続するかを切り替える方法は、ＲＦスイッチ３，４，６の各々において接点ｂ，ｃのいずれを接点ａに接続するかを切り替える方法と同じでよい。ＲＦスイッチ３２の切り替えにより、回路部５は、使用されないアンテナが終端するインピーダンス素子３３または３４を選択的に切り替え、インピーダンスの値を選択する。アンテナ１，２は、電磁気的な結合によって相互のアンテナ特性に影響を与える距離に近接して配置されているため、使用されないアンテナが終端するインピーダンスの値に応じて、使用されるアンテナの指向性は異なる。したがって、図５の変形例では、インピーダンス素子３３または３４を選択的に切り替えることによって、使用されるアンテナの指向性を制御することができる。
【００２９】
図５の例では、制御用信号線３５，３６は、制御用信号線１２，１３から独立して設けられている。但し、制御用信号線３５を制御用信号線１２に接続し、制御用信号線３６を制御用信号線１３に接続してもよい。この場合、例えば、アンテナ２が使用される際、使用されないアンテナ１がインピーダンス素子３３に接続され、アンテナ１が使用される際、使用されないアンテナ２が他方のインピーダンス素子３４に接続されるようにしてもよい。
【００３０】
図５の例では、ＲＦスイッチ３２は２つの第６の接点ｂ，ｃを有し、２つのインピーダンス素子３３，３４が使用される。但し、ＲＦスイッチ３２は３つ以上の第６の接点を有してよく、これに応じて、３つ以上のインピーダンス素子が使用されてもよい。
図５の例では、ＲＦスイッチ３の第２の接点ｂおよびＲＦスイッチ４の第２の接点ｃは、共通のインピーダンス装置３０を介してグランドに接続されている。但し、ＲＦスイッチ３，４の各々に個別のインピーダンス装置を接続してもよい。
【００３１】
第１実施形態および変形例において、２つの制御用信号線で伝送される２つの制御信号により、各ＲＦスイッチが切り替えられる。但し、１つの制御用信号線で伝送される１つの制御信号によって各ＲＦスイッチを切り替えて、上記と同等の効果を達成してもよい。
【００３２】
また、第１実施形態および変形例において、ＲＦスイッチ３，４，６のすべてで同時に同じ符号を有する接点が選択される。すなわち、アンテナ２が使用される場合には、ＲＦスイッチ３，４，６のすべてで接点ｂが選択され、アンテナ１が使用される場合には、ＲＦスイッチ３，４，６のすべてで接点ｃが選択される。但し、上記と同等の効果が達成されるのであれば、接点の配列順序、および接点間の配線は限定されない。
【００３３】
＜第２実施形態＞
本実施形態では、アンテナ装置は４つのアンテナを有する。但し、本実施形態の４つのアンテナは、配列された多数のアンテナの４つと考えてよく、図示された４つのアンテナ以外のアンテナに同様の改良を施してよい。アンテナ装置は、送信アンテナ装置として使用してもよいし、受信アンテナ装置として使用してもよい。
【００３４】
＜アンテナ装置の構成＞
図６は、第２実施形態に係るアンテナ装置の概略図である。アンテナ装置は、４つのアンテナ４１，４２，４３，４４と、アンテナ４１，４２，４３，４４にそれぞれ接続された２つのＲＦスイッチ４５，４６，４７，４８とを有する。また、アンテナ装置は、回路部４９と、回路部４９に接続されておりＲＦスイッチ４５，４６，４７，４８のいずれかに選択的に接続されるＲＦスイッチ５０とを有する。アンテナ４１，４２，４３，４４は、それぞれ異なる指向性を有する。アンテナ４１，４２，４３，４４は、電磁気的な結合によって相互のアンテナ特性に影響を与える距離に近接して配置されている。
【００３５】
ＲＦスイッチ４５，４６，４７，４８の各々は、第１の接点ａと、４つの第２の接点ｂ〜ｅと、２つの制御入力端Ｃ１，Ｃ２を有する。アンテナ４１は、ＲＦスイッチ４５の第１の接点ａに接続され、アンテナ４２は、ＲＦスイッチ４６の第１の接点ａに接続されている。アンテナ４３は、ＲＦスイッチ４７の第１の接点ａに接続され、アンテナ４４は、ＲＦスイッチ４８の第１の接点ａに接続されている。アンテナ装置が送信アンテナ装置として使用される場合、第１の接点ａはアンテナへのＲＦ信号の出力側の接点であり、第２の接点ｂ〜ｅはＲＦ信号の入力側の接点である。アンテナ装置が受信アンテナ装置として使用される場合、第１の接点ａはアンテナからのＲＦ信号の入力側の接点であり、第２の接点ｂ〜ｅはＲＦ信号の出力側の接点である。ＲＦスイッチ４５，４６，４７，４８の各々において、４つの第２の接点ｂ〜ｅのどちらを第１の接点ａに電気的に接続するかを、外部から選択することが可能である。制御入力端Ｃ１，Ｃ２には、第２の接点ｂ〜ｅのどちらを第１の接点ａに接続するのかを示す制御信号が入力される。
【００３６】
回路部４９は、通信回路の機能と、ＲＦスイッチ４５，４６，４７，４８，５０の切り替え制御の機能を有する。アンテナ装置が送信アンテナ装置として使用される場合、回路部４９は送信用のＲＦ信号を生成して出力する。アンテナ装置が受信アンテナ装置として使用される場合、回路部４９は、アンテナ４１〜４４のいずれか１つで受信されたＲＦ信号を受信して、処理する。
【００３７】
ＲＦスイッチ５０は、第３の接点ａと、４つの第４の接点ｂ〜ｅと、２つの制御入力端Ｃ１，Ｃ２を有する。回路部４９は、ＲＦ線路５１を介してＲＦスイッチ５０の第３の接点ａに接続されている。アンテナ装置が送信アンテナ装置として使用される場合、第３の接点ａは回路部４９からのＲＦ信号の入力側の接点であり、第４の接点ｂ〜ｅはアンテナ側へのＲＦ信号の出力側の接点である。アンテナ装置が受信アンテナ装置として使用される場合、第３の接点ａは回路部４９へのＲＦ信号の出力側の接点であり、第４の接点ｂ〜ｅはアンテナ側からのＲＦ信号の入力側の接点である。ＲＦスイッチ５０において、４つの第４の接点ｂ〜ｅのどちらを第３の接点ａに電気的に接続するかを、外部から選択することが可能である。制御入力端Ｃ１，Ｃ２には、第４の接点ｂ〜ｅのどちらを第３の接点ａに接続するのかを示す制御信号が入力される。
【００３８】
ＲＦスイッチ４５の第２の接点ｅは、ＲＦ線路５２を介して、ＲＦスイッチ５０の第４の接点ｅに接続されている。ＲＦスイッチ４６の第２の接点ｄは、ＲＦ線路５３を介して、ＲＦスイッチ５０の第４の接点ｄに接続されている。ＲＦスイッチ４７の第２の接点ｃは、ＲＦ線路５４を介して、ＲＦスイッチ５０の第４の接点ｃに接続されている。ＲＦスイッチ４８の第２の接点ｂは、ＲＦ線路５５を介して、ＲＦスイッチ５０の第４の接点ｂに接続されている。
【００３９】
ＲＦスイッチ４５の第２の接点ｂ，ｃ，ｄは、ＲＦ線路５６を介して、インピーダンス素子（例えば、抵抗器）５７の一端に接続されており、インピーダンス素子５７の他端はグランドに接続されている。ＲＦスイッチ４６の第２の接点ｂ，ｃ，ｅは、ＲＦ線路５８を介して、インピーダンス素子５９の一端に接続されており、インピーダンス素子５９の他端はグランドに接続されている。ＲＦスイッチ４７の第２の接点ｂ，ｄ，ｅは、ＲＦ線路６０を介して、インピーダンス素子６１の一端に接続されており、インピーダンス素子６１の他端はグランドに接続されている。ＲＦスイッチ４８の第２の接点ｃ，ｄ，ｅは、ＲＦ線路６２を介して、インピーダンス素子６３の一端に接続されており、インピーダンス素子６３の他端はグランドに接続されている。インピーダンス素子５７，５９，６１，６３の各々のインピーダンス値（例えば、抵抗値）は、０Ω以上、５０Ω以下であることが好ましい。ＲＦ線路５１〜５６，５８，６０，６２の各々のインピーダンス値は、例えば５０Ωである。
【００４０】
ＲＦスイッチ４５，４６，４７，４８，５０の切り替え制御のため、回路部４９には、制御用信号線６４，６５が接続されている。制御用信号線６４は、ＲＦスイッチ４５，４６，４７，４８，５０の制御入力端Ｃ１に接続されており、制御用信号線６５は、ＲＦスイッチ４５，４６，４７，４８，５０の制御入力端Ｃ２に接続されている。
【００４１】
＜使用アンテナの切り替え＞
回路部４９は、ＲＦスイッチ４５〜４８，５０の各々の切り替え制御を行うことにより、アンテナ４１〜４４のいずれか１つを選択的に使用する。回路部４９は、ＲＦスイッチ４５〜４８，５０の制御入力端Ｃ１，Ｃ２にそれぞれ供給される複数の制御信号を供給する。これにより、回路部４９は、ＲＦスイッチ４５〜４８のうち使用されるアンテナに接続されたＲＦスイッチの第１の接点ａと、当該ＲＦスイッチの４つの第２の接点ｂ〜ｅのうちＲＦスイッチ５０に接続された１つの第２の接点とを接続する。同時に、回路部４９は、ＲＦスイッチ５０の第３の接点ａと、ＲＦスイッチ５０の４つの第４の接点ｂ〜ｅのうち使用されるアンテナに接続されたＲＦスイッチに接続された第４の接点とを接続する。同時に、回路部４９は、使用されない３つのアンテナに接続された３つのＲＦスイッチの各々の第１の接点ａと、当該ＲＦスイッチの４つの第２の接点ｂ〜ｅのうちインピーダンス素子５７，５９，６１または６３に接続された第２の接点とを接続する。
【００４２】
図７を用いて、制御信号と、各ＲＦスイッチで選択される端子の関係を説明する。ここで、ＲＦ−ｃｔｌ１は、制御用信号線６４を介して、各ＲＦスイッチの制御入力端Ｃ１に供給される制御信号であり、ＲＦ−ｃｔｌ２は、制御用信号線６５を介して、各ＲＦスイッチの制御入力端Ｃ２に供給される制御信号である。制御信号ＲＦ−ｃｔｌ１，ＲＦ−ｃｔｌ２の各々の電圧レベルは可変である。
【００４３】
回路部４９が、制御信号ＲＦ−ｃｔｌ１，ＲＦ−ｃｔｌ２の電圧を３．３Ｖ（Ｈｉｇｈ）または０Ｖ（Ｌｏｗ）に設定することにより、各ＲＦスイッチにおいて接点ｂ〜ｅのいずれを接点ａに接続するかを切り替えることができる。別の観点からいえば、ＲＦスイッチの各々は、当該ＲＦスイッチの制御入力端Ｃ１，Ｃ２に供給された制御信号ＲＦ−ｃｔｌ１，ＲＦ−ｃｔｌ２の電圧レベルの組合せに応じて、当該ＲＦスイッチにおいて接点ａに接続する接点を接点ｂ〜ｅから選択する。このようにして、回路部４９は、各ＲＦスイッチの制御入力端に制御信号を供給することにより、使用されるべきアンテナに接続されたＲＦスイッチ４５〜４８の各々の第１の接点ａと、第２の接点ｂ〜ｅのうち所望の第２の接点とを接続する。同時に、回路部４９は、ＲＦスイッチ５０の第３の接点ａと第４の接点ｂ〜ｅのうち所望の第４の接点とを接続する。
【００４４】
具体的には、制御信号ＲＦ−ｃｔｌ１を３．３Ｖに設定し、制御信号ＲＦ−ｃｔｌ２を３．３Ｖに設定することで、ＲＦスイッチ４５〜４８，５０の各々では、接点ａに接続する接点として接点ｂが選択される。この場合には、回路部４９から、ＲＦ線路５１、ＲＦスイッチ５０の接点ａ，ｂ、ＲＦ線路５５、ＲＦスイッチ４８の接点ｂ，ａを経て、アンテナ４４までのＲＦ信号経路が生成される。アンテナ装置が送信アンテナ装置として使用される場合、回路部４９が供給したＲＦ信号はこのＲＦ信号経路を経てアンテナ４４から電波として放射される。アンテナ装置が受信アンテナ装置として使用される場合、アンテナ４４で受信されたＲＦ信号が回路部４９に供給される。
【００４５】
このようにアンテナ４４が使用される場合、使用されないアンテナ４１〜４３の各々は、これに対応するＲＦスイッチの接点ａ，ｂ、ＲＦ線路、インピーダンス素子を介して、グランドに接続される。したがって、これらのアンテナ４１〜４３は、低インピーダンスで終端される。アンテナ４１〜４４は、電磁気的な結合によって相互のアンテナ特性に影響を与えるように近接しているが、相互結合の影響は小さい。また、相互結合の影響を事前に把握することによって、アンテナ４４の使用時の指向性はあらかじめ予測して設定しておくことができる。
【００４６】
制御信号ＲＦ−ｃｔｌ１を３．３Ｖに設定し、制御信号ＲＦ−ｃｔｌ２を０Ｖに設定することで、ＲＦスイッチ４５〜４８，５０の各々では、接点ａに接続する接点として接点ｃが選択される。この場合には、図６に示すように、回路部４９から、ＲＦ線路５１、ＲＦスイッチ５０の接点ａ，ｃ、ＲＦ線路５４、ＲＦスイッチ４７の接点ｃ，ａを経て、アンテナ４３までのＲＦ信号経路が生成され、アンテナ４３が使用される。制御信号ＲＦ−ｃｔｌ１を０Ｖに設定し、制御信号ＲＦ−ｃｔｌ２を３．３Ｖに設定することで、ＲＦスイッチ４５〜４８，５０の各々では、接点ａに接続する接点として接点ｄが選択される。この場合には、回路部４９からアンテナ４２までのＲＦ信号経路が生成され、アンテナ４２が使用される。制御信号ＲＦ−ｃｔｌ１を０Ｖに設定し、制御信号ＲＦ−ｃｔｌ２を０Ｖに設定することで、ＲＦスイッチ４５〜４８，５０の各々では、接点ａに接続する接点として接点ｅが選択される。この場合には、回路部４９からアンテナ４１までのＲＦ信号経路が生成され、アンテナ４１が使用される。
【００４７】
いずれの場合でも、使用されない各アンテナは、いずれかのインピーダンス素子を介して、グランドに接続され、低インピーダンスで終端される。アンテナ４１，２は、電磁気的な結合によって相互のアンテナ特性に影響を与えるように近接しているが、相互結合の影響は小さい。また、相互結合の影響を事前に把握することによって、使用されるアンテナの使用時の指向性はあらかじめ予測して設定しておくことができる。
【００４８】
本実施形態によれば、アンテナ４１〜４４側のＲＦスイッチ４５〜４８と、回路部４９との間にＲＦスイッチ５０が介在することによって、ＲＦ線路にはスタブが存在しない。したがって、ＲＦ信号の相殺が発生しないので、ＲＦ信号の損失を低減することができる。また、使用しないアンテナを低インピーダンス短絡状態にすることで、近接して配置されるアンテナ間の相互結合の影響を弱め、使用するアンテナの指向性を容易に設定することが可能である。
回路部４９は、上記のようにＲＦスイッチ４５〜４８，５０を制御して、使用されるアンテナを切り替える。回路部４９は、使用されるアンテナをアンテナ４１，２から時分割で順次選択してもよい。
【００４９】
＜第２実施形態の変形例＞
第２実施形態においては、ＲＦスイッチ４５〜４８の各々に１つのインピーダンス素子が接続されている。しかし、すべてのＲＦスイッチ４５〜４８の第２の接点ｂ〜ｅのうちＲＦスイッチ５０に接続されない第２の接点をすべて、１つの共通のインピーダンス素子に接続してもよい。あるいは、これらの第２の接点を複数の個別のインピーダンス素子に接続してもよい。
【００５０】
第２実施形態においては、ＲＦスイッチ４５〜４８をグランドに接続するインピーダンス装置がインピーダンス素子５７，５９，６１または６３から構成される。しかし、第２実施形態の５７，５９，６１，６３の各々を、図５の変形例のインピーダンス装置３０に置き換えてもよい。
第２実施形態において、２つの制御用信号線で伝送される２つの制御信号により、各ＲＦスイッチが切り替えられる。但し、１つの制御用信号線で伝送される１つの制御信号によって各ＲＦスイッチを切り替えて、上記と同等の効果を達成してもよい。
【００５１】
また、第２実施形態において、ＲＦスイッチ４５〜４８，５０のすべてで同時に同じ符号を有する接点が選択される。すなわち、アンテナ４１が使用される場合には、ＲＦスイッチ４５〜４８，５０のすべてで接点ｅが選択され、アンテナ４２が使用される場合には、ＲＦスイッチ４５〜４８，５０のすべてで接点ｄが選択される。アンテナ４３が使用される場合には、ＲＦスイッチ４５〜４８，５０のすべてで接点ｃが選択され、アンテナ４４が使用される場合には、ＲＦスイッチ４５〜４８，５０のすべてで接点ｂが選択される。但し、上記と同等の効果が達成されるのであれば、接点の配列順序、および接点間の配線は限定されない。
【００５２】
＜第３実施形態＞
本実施形態は、第２実施形態の修正であって、ここではＲＦスイッチ４５〜４８の接点が相互に接続されている。本実施形態の４つのアンテナは、配列された多数のアンテナの４つと考えてよく、図示された４つのアンテナ以外のアンテナに同様の改良を施してよい。アンテナ装置は、送信アンテナ装置として使用してもよいし、受信アンテナ装置として使用してもよい。
【００５３】
＜アンテナ装置の構成＞
図８は、第３実施形態に係るアンテナ装置の概略図である。図７と共通する構成要素を示すために同一の符号が使用されている。
本実施形態では、ＲＦスイッチ４５〜４８の各々において、第２の接点ｂ〜ｅの１つがＲＦスイッチ５０に接続され、第２の接点ｂ〜ｅの他の１つがインピーダンス素子を介してグランドに接続されている。また、第２の接点ｂ〜ｅのうちＲＦスイッチ５０にもインピーダンス素子にも接続されていない第２の接点が、他のＲＦスイッチ４５〜４８の第２の接点ｂ〜ｅのうちＲＦスイッチ５０にもインピーダンス素子にも接続されていない第２の接点に接続されている。
【００５４】
具体的には、ＲＦスイッチ４５の第２の接点ｅは、ＲＦ線路５２を介して、ＲＦスイッチ５０の第４の接点ｅに接続されている。ＲＦスイッチ４６の第２の接点ｄは、ＲＦ線路５３を介して、ＲＦスイッチ５０の第４の接点ｄに接続されている。ＲＦスイッチ４７の第２の接点ｃは、ＲＦ線路５４を介して、ＲＦスイッチ５０の第４の接点ｃに接続されている。ＲＦスイッチ４８の第２の接点ｂは、ＲＦ線路５５を介して、ＲＦスイッチ５０の第４の接点ｂに接続されている。
【００５５】
ＲＦスイッチ４５の第２の接点ｂは、ＲＦ線路５６を介して、インピーダンス素子５７の一端に接続されており、インピーダンス素子５７の他端はグランドに接続されている。ＲＦスイッチ４６の第２の接点ｅは、ＲＦ線路５８を介して、インピーダンス素子５９の一端に接続されており、インピーダンス素子５９の他端はグランドに接続されている。ＲＦスイッチ４７の第２の接点ｄは、ＲＦ線路６０を介して、インピーダンス素子６１の一端に接続されており、インピーダンス素子６１の他端はグランドに接続されている。ＲＦスイッチ４８の第２の接点ｃは、ＲＦ線路６２を介して、インピーダンス素子６３の一端に接続されており、インピーダンス素子６３の他端はグランドに接続されている。
【００５６】
ＲＦスイッチ４５の第２の接点ｃは、ＲＦ線路６６を介して、ＲＦスイッチ４６の第２の接点ｃに接続されている。ＲＦスイッチ４５の第２の接点ｄは、ＲＦ線路６９を介して、ＲＦスイッチ４８の第２の接点ｄに接続されている。ＲＦスイッチ４６の第２の接点ｂは、ＲＦ線路６７を介して、ＲＦスイッチ４７の第２の接点ｂに接続されている。ＲＦスイッチ４７の第２の接点ｅは、ＲＦ線路６８を介して、ＲＦスイッチ４８の第２の接点ｅに接続されている。
【００５７】
＜使用アンテナの切り替え＞
回路部４９は、ＲＦスイッチ４５〜４８，５０の各々の切り替え制御を行うことにより、アンテナ４１〜４４のいずれか１つを選択的に使用する。回路部４９は、ＲＦスイッチ４５〜４８，５０の制御入力端Ｃ１，Ｃ２にそれぞれ供給される複数の制御信号を供給する。これにより、回路部４９は、ＲＦスイッチ４５〜４８のうち使用されるアンテナに接続されたＲＦスイッチの第１の接点ａと、当該ＲＦスイッチの４つの第２の接点ｂ〜ｅのうちＲＦスイッチ５０に接続された１つの第２の接点とを接続する。同時に、回路部４９は、ＲＦスイッチ５０の第３の接点ａと、ＲＦスイッチ５０の４つの第４の接点ｂ〜ｅのうち使用されるアンテナに接続されたＲＦスイッチに接続された第４の接点とを接続する。
【００５８】
ＲＦスイッチ４５〜４８，５０の切り替えの方法は、第２実施形態と同じでよい。制御信号ＲＦ−ｃｔｌ１，ＲＦ−ｃｔｌ２と、各ＲＦスイッチで選択される端子の関係は図７と同じである。但し、本実施形態では、使用されないアンテナに対応するＲＦスイッチ４５〜４８での第２の接点ｂ〜ｅの接続先が第２実施形態と異なる。
【００５９】
具体的には、制御信号ＲＦ−ｃｔｌ１を３．３Ｖに設定し、制御信号ＲＦ−ｃｔｌ２を３．３Ｖに設定することで、ＲＦスイッチ４５〜４８，５０の各々では、接点ａに接続する接点として接点ｂが選択される。この場合には、回路部４９から、ＲＦ線路５１、ＲＦスイッチ５０の接点ａ，ｂ、ＲＦ線路５５、ＲＦスイッチ４８の接点ｂ，ａを経て、アンテナ４４までのＲＦ信号経路が生成され、アンテナ４４が使用される。
このようにアンテナ４４が使用される場合、アンテナ４１に対応するＲＦスイッチ４５では、接点ａが接点ｂに接続されて、アンテナ４１がインピーダンス素子５７を介してグランドに接続される。アンテナ４２に対応するＲＦスイッチ４６では、接点ａが接点ｂに接続され、アンテナ４３に対応するＲＦスイッチ４７では、接点ａが接点ｂに接続されるので、使用されないアンテナ４２，４３がＲＦ線路６７を介して接続される。アンテナ４１〜４４は、電磁気的な結合によって相互のアンテナ特性に影響を与えるように近接しているので、使用されないアンテナ４２，４３は、使用されるアンテナ４４の無給電素子として動作する。したがって、使用されるアンテナ４４の指向性は、低インピーダンスで終端したアンテナ４１と、無給電素子であるアンテナ４２，４３に影響される。このような相互結合の影響を事前に把握することによって、アンテナ４４の使用時の指向性はあらかじめ予測して設定しておくことができる。
【００６０】
制御信号ＲＦ−ｃｔｌ１を３．３Ｖに設定し、制御信号ＲＦ−ｃｔｌ２を０Ｖに設定することで、ＲＦスイッチ４５〜４８，５０の各々では、接点ａに接続する接点として接点ｃが選択される。この場合には、図８に示すように、回路部４９から、ＲＦ線路５１、ＲＦスイッチ５０の接点ａ，ｃ、ＲＦ線路５４、ＲＦスイッチ４７の接点ｃ，ａを経て、アンテナ４３までのＲＦ信号経路が生成され、アンテナ４３が使用される。
このようにアンテナ４３が使用される場合、アンテナ４４に対応するＲＦスイッチ４８では、接点ａが接点ｃに接続されて、アンテナ４４がインピーダンス素子６３を介してグランドに接続される。アンテナ４１に対応するＲＦスイッチ４５では、接点ａが接点ｃに接続され、アンテナ４２に対応するＲＦスイッチ４６では、接点ａが接点ｃに接続されるので、使用されないアンテナ４１，４２がＲＦ線路６６を介して接続される。使用されないアンテナ４１，４２は、使用されるアンテナ４３の無給電素子として動作する。したがって、使用されるアンテナ４３の指向性は、低インピーダンスで終端したアンテナ４４と、無給電素子であるアンテナ４１，４２に影響される。このような相互結合の影響を事前に把握することによって、アンテナ４３の使用時の指向性はあらかじめ予測して設定しておくことができる。
【００６１】
制御信号ＲＦ−ｃｔｌ１を０Ｖに設定し、制御信号ＲＦ−ｃｔｌ２を３．３Ｖに設定することで、ＲＦスイッチ４５〜４８，５０の各々では、接点ａに接続する接点として接点ｄが選択される。この場合には、回路部４９からアンテナ４２までのＲＦ信号経路が生成され、アンテナ４２が使用される。
このようにアンテナ４２が使用される場合、アンテナ４３に対応するＲＦスイッチ４７では、接点ａが接点ｄに接続されて、アンテナ４３がインピーダンス素子６１を介してグランドに接続される。アンテナ４１に対応するＲＦスイッチ４５では、接点ａが接点ｄに接続され、アンテナ４４に対応するＲＦスイッチ４８では、接点ａが接点ｄに接続されるので、使用されないアンテナ４１，４４がＲＦ線路６９を介して接続される。使用されないアンテナ４１，４４は、使用されるアンテナ４２の無給電素子として動作する。したがって、使用されるアンテナ４２の指向性は、低インピーダンスで終端したアンテナ４３と、無給電素子であるアンテナ４１，４４に影響される。このような相互結合の影響を事前に把握することによって、アンテナ４２の使用時の指向性はあらかじめ予測して設定しておくことができる。
【００６２】
制御信号ＲＦ−ｃｔｌ１を０Ｖに設定し、制御信号ＲＦ−ｃｔｌ２を０Ｖに設定することで、ＲＦスイッチ４５〜４８，５０の各々では、接点ａに接続する接点として接点ｅが選択される。この場合には、回路部４９からアンテナ４１までのＲＦ信号経路が生成され、アンテナ４１が使用される。
このようにアンテナ４１が使用される場合、アンテナ４２に対応するＲＦスイッチ４６では、接点ａが接点ｅに接続されて、アンテナ４２がインピーダンス素子５９を介してグランドに接続される。アンテナ４３に対応するＲＦスイッチ４７では、接点ａが接点ｅに接続され、アンテナ４４に対応するＲＦスイッチ４８では、接点ａが接点ｅに接続されるので、使用されないアンテナ４３，４４がＲＦ線路６８を介して接続される。使用されないアンテナ４３，４４は、使用されるアンテナ４１の無給電素子として動作する。したがって、使用されるアンテナ４１の指向性は、低インピーダンスで終端したアンテナ４２と、無給電素子であるアンテナ４３，４４に影響される。このような相互結合の影響を事前に把握することによって、アンテナ４１の使用時の指向性はあらかじめ予測して設定しておくことができる。
【００６３】
本実施形態によれば、アンテナ４１〜４４側のＲＦスイッチ４５〜４８と、回路部４９との間にＲＦスイッチ５０が介在することによって、ＲＦ線路にはスタブが存在しない。したがって、ＲＦ信号の相殺が発生しないので、ＲＦ信号の損失を低減することができる。また、使用しない複数のアンテナを任意の組合せで無給電素子または低インピーダンス終端状態にすることで、近接して配置されるアンテナ間の相互結合の影響を弱め、使用するアンテナの指向性を制御することが可能となる。
回路部４９は、上記のようにＲＦスイッチ４５〜４８，５０を制御して、使用されるアンテナを切り替える。回路部４９は、使用されるアンテナをアンテナ４１，２から時分割で順次選択してもよい。
【００６４】
＜第３実施形態の変形例＞
第３実施形態においても第２実施形態の変形例が利用可能である。
【００６５】
＜アンテナの実装＞
図９は、第２実施形態または第３実施形態に係るアンテナ装置のアンテナ４１〜４４をアンテナ基板７１に実装した例を示す平面図である。
【００６６】
アンテナ基板７１は、グランド領域７２およびアンテナ領域７３から構成され、アンテナ領域７３はアンテナ基板７１の四隅に配置されている。４つのアンテナ領域７３には、それぞれアンテナ４１〜４４が配置される。したがって、アンテナ４１〜４４は、アンテナ基板７１に実装された平面アンテナである。グランド領域７２には、アンテナ以外のＲＦスイッチ、ＲＦ線路、インピーダンス素子、制御用信号線等が配置される（非図示）。
【００６７】
アンテナ基板７１の素材、形状、層構成等は限定されない。隣接するアンテナ領域７３の間隔Ｘおよび間隔Ｙは、アンテナで送信または受信される電波の波長の１／４より小さい。したがって、アンテナ４１〜４３は、電磁気的な結合によって相互のアンテナ特性に影響を与える距離に近接して配置されている。
第１実施形態に係るアンテナ装置のアンテナ１，２も平面アンテナとしてアンテナ基板に実装してよい。
【００６８】
＜他の変形例＞
以上、本発明の実施形態を説明したが、上記の説明は本発明を限定するものではなく、本発明の技術的範囲において、構成要素の削除、追加、置換を含む様々な変形例が考えられる。例えば、ＲＦ信号を送信または受信する回路部５とは別の制御回路を用いて、ＲＦスイッチを切り替えてもよい。アンテナの数は、上記の実施形態に限定されず、３でもよいし５以上でもよい。尚、上述の各実施形態で用いられるアンテナは、アンテナ装置の使用用途に応じて任意の周波数（２．４GHz帯域や５GHz帯域等）において共振するアンテナである。
【符号の説明】
【００６９】
１，２，４１，４２，４３，４４  アンテナ
３，４，６，４５，４６，４７，４８，５０  ＲＦスイッチ
８，９，５２，５３，５４，５５  ＲＦ線路
１１，２２，２４，５７，５９，６１，６３  インピーダンス素子
３０  インピーダンス装置
５，４９  回路部
ａ，ｂ，ｃ，ｄ，ｅ  接点
【図１】
2019205028.tif 000003
【図２】
2019205028.tif 000004
【図３】
2019205028.tif 000005
【図４】
2019205028.tif 000006
【図５】
2019205028.tif 000007
【図６】
2019205028.tif 000008
【図７】
2019205028.tif 000009
【図８】
2019205028.tif 000010
【図９】
2019205028.tif 000011